(57)【要約】【課題】トルク調節可能な歯科インプラント用トルクラチェットレンチを提供する。【解決手段】歯科インプラント用トルクラチェットレンチは、固定ユニット３０の複数の位置決め部３３のうち何れか１つの位置決め部３３に選択的に定位されるストッパーユニット４０と、可撓性を有する可撓性手持ち部及び該可撓性手持ち部の一側に位置される当接面を有する手持ちユニット１０と、駆動ユニット２０とを備える。ストッパーユニット４０が前記何れか１つの位置決め部３３に選択的に定位されるとともに、可撓性手持ち部１１がトグルされことにより当接面１３がストッパーユニット４０のストッパー部４１に当接されることで、駆動ユニット２０が所定のトルク値を達成する。【選択図】図２
0003209718.tif 000002
【実用新案登録請求の範囲】
【請求項１】
可撓性を有する可撓性手持ち部と、該可撓性手持ち部の一側に位置される第一端面と、前記可撓性手持ち部に位置されかつ前記第一端面に対する第二端面と、前記第一端面及び前記第二端面を貫通させるオープン式測定スペースと、前記第一端面に位置される当接面と、前記可撓性手持ち部の一端に位置されかつ前記オープン式測定スペースに連通される操作スペースを含む操作部と、前記可撓性手持ち部の他側に位置される手持ち部と、を有する手持ちユニットと、
前記操作スペースに設けられる駆動ユニットと、
前記駆動ユニットに連結されかつ前記オープン式測定スペースに設けられる固定部と、該固定部から前記第一端面の方向に外向きに延伸される測定部と、該測定部に設けられかつ前記固定部から前記当接面の方向に順に配列される複数の位置決め部と、を有する固定ユニットと、
前記手持ちユニットの前記当接面に当接されるストッパー部を有しかつ前記複数の位置決め部のうち何れか１つの位置決め部に定位可能なストッパーユニットとを備え、
前記ストッパーユニットが前記何れか１つの位置決め部に選択的に定位されるとともに、前記手持ちユニットの前記可撓性手持ち部のトグルにより前記当接面が前記ストッパー部に当接されることで、前記駆動ユニットが所定のトルク値を達成する、ことを特徴とするトルク調節可能な歯科インプラント用トルクラチェットレンチ。
【請求項２】
前記固定ユニットの前記各位置決め部は、スルーホールであることを特徴とする、請求項１に記載のトルク調節可能な歯科インプラント用トルクラチェットレンチ。
【請求項３】
前記固定ユニットは、前記複数の位置決め部を連通させる位置決めチャンネルを更に有することを特徴とする、請求項２に記載のトルク調節可能な歯科インプラント用トルクラチェットレンチ。
【請求項４】
前記手持ちユニットは、前記測定部に向けて延伸される抵抗部材を有し、
前記当接面は、前記抵抗部材に位置されることを特徴とする、請求項１に記載のトルク調節可能な歯科インプラント用トルクラチェットレンチ。
【請求項５】
前記ストッパーユニットは、
係止段と、該係止段の弧線上から延伸されかつ直径が前記位置決めチャンネルより小さい移動段と、前記移動段から延伸されかつ直径が前記位置決め部のスルーホールと同じである押圧段とを有する固定係合部材と、
前記係止段を前記係止段側に圧迫して固定させる少なくとも２つの弾性板と、該少なくとも２つの弾性板から延伸されかつ前記係止段よりやや大きい内径を有する係止壁面と、該係止壁面により画定される移動空間と、前記係止壁面から延伸される押圧壁面と、該押圧壁面により画定されかつその一端に押圧開口を具備しかつ前記移動空間と連通される押圧空間とを有し、前記固定係合部材を被覆するボディ部とを備え、
前記ストッパーユニットは、移動状態及び位置決め状態を有し、
前記ストッパーユニットが前記位置決め状態となるときには、前記係止段が前記弾性板の位置に位置され、前記押圧段が前記位置決め部に位置されて、前記弾性板での圧迫により前記係止段が固定されることで、前記ストッパーユニットが前記位置決め部に固定され、
前記ストッパーユニットが前記移動状態となるときには、前記係止段が前記ボディ部の移動空間内に位置され、前記押圧段が前記位置決め部から離間されて、前記移動段が対応する前記位置決め部に位置されることで、前記ストッパーユニットが前記位置決めチャンネル上を移動可能となることを特徴とする、請求項３に記載のトルク調節可能な歯科インプラント用トルクラチェットレンチ。
【請求項６】
前記固定ユニットの前記測定部における前記各位置決め部の近傍部分には、対応するトルク値がそれぞれ隣接して表示されていることを特徴とする、請求項１に記載のトルク調節可能な歯科インプラント用トルクラチェットレンチ。
【請求項７】
前記手持ちユニットの操作部に隣接する前記固定ユニットの一端には、前記手持ちユニット及び前記固定ユニットを固定するための少なくとも１つのボルト軸が設けられていることを特徴とする、請求項１に記載のトルク調節可能な歯科インプラント用トルクラチェットレンチ。
【考案の詳細な説明】
【技術分野】
【０００１】
本考案は、歯科インプラント手術に用いられるレンチに関し、より詳しくは、トルク調節可能な歯科インプラント用トルクラチェットレンチ（torque ratchet wrench）に関する。
【背景技術】
【０００２】
従来、歯科インプラント手術に用いられるトルクラチェットレンチは、例えば、図１の示す通り、固定部５１と、前記固定部５１の一端にある操作部５２と、該操作部５２に連結されるトグル部５３とを有するトルクラチェットレンチ５０である。前記固定部５１は前記固定部５１から延伸される測定部材５４を有する。トルクラチェットレンチ５０を使用する際には、前記操作部５２を人工の歯根（図示省略）に結合させてから、操作者が前記測定部材５４のトルク表示値を参照することができるように、前記トグル部５３を握ってトグルさせれば、歯科医師は、トグル部５３をトグルさせながら、現在の時点に出力されているトルクを取得することができる。前記トグル部５３が前記測定部材５４に示す所定のトルク値になったら、操作者のトグルによるトルクが、所定のトルク値に達したこと意味するので、そのときには、人工の歯根に対する回転を直ちに停止すべきである。
【考案の概要】
【考案が解決しようとする課題】
【０００３】
しかしながら、前述した従来の歯科インプラント用トルクラチェットレンチでは、実際に使用する際に、歯科医師は、目測で、前記トグル部及び前記測定部材の表示を合わせるか否かについて判断することで、所定のトルク値に達しているかどうかを確認することが必要である。しかし、トグルの回転の程度は、目測の角度や他の要因により、所定のトルク値に達しないか、又は所定のトルク値を超えることがある。また、歯科医師がそれに気付かない場合もある。これにより、人工の歯根が適切なトルク値で歯ぐき組織に固定されなくなり、さらには、所定のトルク値に達していないことにより、固定された人工の歯根が不安定な状態になったりする場合がある。ひいては、トルクが所定のトルク値を超えたときには、歯ぐき組織を傷つけたり、インプラント器具が損壊されたり、また、インプラントを受けた者が不快に感じることもあった。
【０００４】
前述した問題を踏まえて、トルクラチェットレンチがトグルされたときに、所定のトルク値を超えるか又は達しない等の事態を回避するためには、精確なトルク値を提供できるとともに、人工の歯根を歯ぐきに堅固に固定させることが可能となるように、精確なトルク値にするとともに、トルクの調節が可能な新規の歯科インプラント用トルクラチェットレンチを提供することが必要である。
【０００５】
本考案は、このような従来の問題に鑑みてなされたものであり、本考案の主な目的は、上述の問題を解決するために、トルク調節可能な歯科インプラント用トルクラチェットレンチを提供することにある。すなわち、本考案に係わる歯科インプラント用トルクラチェットレンチでは、従来のインプラントレンチを操作者がトグルして使用する際に、所定のトルク値を容易に超えてしまうという欠点を解決させることができる。
【課題を解決するための手段】
【０００６】
前述した課題を解決し、前述の目的を達成するために、本考案に係るトルク調節可能な歯科インプラント用トルクラチェットレンチは、可撓性を有する可撓性手持ち部と、該可撓性手持ち部の一側に位置される第一端面と、前記可撓性手持ち部に位置されかつ前記第一端面に対する第二端面と、前記第一端面及び前記第二端面を貫通させるオープン式測定スペースと、前記第一端面に位置される当接面と、前記可撓性手持ち部の一端に位置されかつ前記オープン式測定スペースに連通される操作スペースからなる操作部と、前記可撓性手持ち部の他側に位置される手持ち部と、を有する手持ちユニットと、前記操作スペースに設けられる駆動ユニットと、前記駆動ユニットに連結されかつ前記オープン式測定スペースに設けられる固定部と、前記固定部から前記第一端面側に外向きに延伸される測定部と、前記測定部に設けられかつ前記固定部から前記当接面側に順に配列される複数の位置決め部と、を有する固定ユニットと、前記手持ちユニットの当接面に当接されるストッパー部を有しかつ前記複数の位置決め部のうち何れか１つの位置決め部に定位されるストッパーユニットとを備えることを特徴とする。
【考案の効果】
【０００７】
本考案は、ストッパーユニットが複数の位置決め部のうち何れか１つの位置決め部に選択的に定位されるとともに、手持ちユニットの可撓性手持ち部がトグルされることにより当接面がストッパーユニットのストッパー部に当接されることで、駆動ユニットが所定のトルク値を達成することができる。
【図面の簡単な説明】
【０００８】
【図１】歯科インプラントに用いられる従来のトルクラチェットレンチを示す概略図である。
【図２】本考案に係る実施形態を示す外観斜視図である。
【図３】本考案に係る実施形態を示す展開図である。
【図４】本考案に係る実施形態を示す俯瞰図である。
【図５】図４の５−５線に沿う、ストッパーユニットが位置決めした状態となることを示す断面図である。
【図６】図５において、ストッパーユニットが移動している状態となることを示す断面図である。
【図７】本考案に係る実施形態において、トルク出力が小さいときの状態を示す図である。
【図８】本考案に係る実施形態において、トルク出力が大きいときの状態を示す図である。
【考案を実施するための形態】
【０００９】
本考案に係わる好適な実施形態について、図面を参照して説明する。尚、本考案は、以下に示す実施形態で説明されているが、本考案は、これらの実施形態に限定されるものではない。なお、添付の実用新案登録請求の範囲に記載された内容も、本考案が保護しようとする範囲と見なされるものである。
【００１０】
まず、図２及び図３を参照しながら、本考案の実施形態を説明する。本考案に係わるトルク調節可能な歯科インプラント用トルクラチェットレンチは、以下の部材で構成される。
【００１１】
（１）手持ちユニット１０：可撓性を有する可撓性手持ち部１１と、該可撓性手持ち部１１の一側に位置される第一端面１１１と、可撓性手持ち部１１に位置されかつ第一端面１１１に対する第二端面１１２と、第一端面１１１及び第二端面１１２を貫通させるオープン式測定スペース１２と、第一端面１１１に位置される当接面１３と、可撓性手持ち部１１の一端に位置されかつオープン式測定スペース１２に連通される操作スペースからなる操作部１４と、可撓性手持ち部１１の他側に位置される手持ち部１５とを有する。手持ちユニット１０の当接面１３は、後述する固定ユニット３０の測定部３２に向けて延伸される抵抗部材１３１に設けられている。
【００１２】
（２）駆動ユニット２０：操作部１４の操作スペースに設けられる。
【００１３】
（３）固定ユニット３０：駆動ユニット２０に連結されかつオープン式測定スペース１２に設けられる固定部３１と、該固定部３１から第一端面１１１側に外向きに延伸される測定部３２と、該測定部３２に設けられかつ固定部３１から当接面１３側に順に配列される複数の位置決め部３３と、該複数の位置決め部３３を連通させる位置決めチャンネル３４とを有する。本実施形態において、固定ユニット３０の各位置決め部３３はスルーホールであり、固定ユニット３０の測定部３２には、各位置決め部３３に隣接して、対応するトルク値がそれぞれ表示されている。本実施形態では、駆動ユニット２０及び固定ユニット３０は一体となっている。
【００１４】
（４）ストッパーユニット４０：手持ちユニット１０の当接面１３に当接されるストッパー部４１を有しかつ複数の位置決め部３３のうち何れか１つの位置決め部３３に定位される。
【００１５】
図４乃至図６を参照すると、ストッパーユニット４０は、係止段４２１と、該係止段４２１の弧線上から延伸されかつ直径が位置決めチャンネル３４より小さい移動段４２２と、移動段４２２から延伸されかつ直径が位置決め部３３のスルーホールと同じである押圧段４２３とを有する固定係合部材４２と、係止段４２１側に圧迫させて係止段４２１を固定させる少なくとも２つの弾性板４３１と、該少なくとも２つの弾性板４３１から延伸されかつ係止段４２１よりやや大きい内径を有する係止壁面４３２と、該係止壁面４３２により画定される移動空間４３３と、係止壁面４３２から延伸される押圧壁面４３４と、該押圧壁面４３４により画定されかつその一端に押圧開口４３６を具備しかつ移動空間４３３と連通される押圧空間４３５とを有し、固定係合部材４２を被覆するボディ部４３とを備える。
【００１６】
固定係合部材４２の移動により、ストッパーユニット４０は、移動可能な状態（以下、移動状態Ａと称する）と、位置決めされた状態（以下、位置決め状態Ｂと称する）とに分けられる。
【００１７】
押圧開口４３６から押圧段４２３が押圧された場合には、ストッパーユニット４０は、固定係合部材４２が移動されることにより位置決め状態Ｂになる。その際には、係止段４２１の内端が前記弾性板４３１に当接され、押圧段４２３が位置決め部３３に位置されて、弾性板４３１により係止段４２１が圧迫されて固定されることで、ストッパーユニット４０が位置決め部３３に定位される。
【００１８】
係止段４２１が押圧されると、ストッパーユニット４０は移動状態Ａになる。その際には、係止段４２１がボディ部４３の移動空間４３３内まで後退され、押圧段４２３が位置決め部３３から離間されて、移動段４２２が対応する位置決め部３３に位置されることで、ストッパーユニット４０が位置決めチャンネル３４上で移動可能とされる。
【００１９】
このことは、ストッパーユニット４０が複数の位置決め部３３のうち何れか１つの位置決め部３３に選択的に定位されるとともに、手持ちユニット１０の可撓性手持ち部１１がトグルされることにより当接面１３がストッパー部４１（図２参照）に当接したときに、駆動ユニット２０が所定のトルク値を出力するということを表す。
【００２０】
上述の部材を利用した、本考案に係るトルク調節可能な歯科インプラント用トルクラチェットレンチの使用方法は以下の通りである。
【００２１】
図５及び図６はストッパーユニット４０の断面図である。固定係合部材４２の係止段４２１は本実施形態においては球形であり、移動段４２２は係止段４２１から延伸されかつ直径が係止段４２１より小さい円柱形であり、押圧段４２３は直径が係止段４２１と同じ円柱形である。
【００２２】
本実施形態において、ボディ部４３は、外側から係止段４２１側に向かう圧により、当該係止段４２１を固定させる４つの弾性板４３１を有する。操作者が係止段４２１を押圧すると、係止段４２１により４つの弾性板４３１が圧迫され、４つの弾性板４３１が係止段４２１の球形の辺縁に沿って開かれ、係止段４２１が移動空間４３３内に進入し、移動段４２２が位置決めチャンネル３４の位置まで移動される。移動段４２２の直径は位置決めチャンネル３４より小さいため、ストッパーユニット４０が位置決めチャンネル３４に沿って各位置決め部３３まで移動可能となる。操作者がストッパーユニット４０を所定のトルク値の位置決め部３３まで移動させた後、操作者が押圧段４２３を押圧すると、押圧段４２３が位置決めチャンネル３４まで移動され、移動段４２２が移動空間４３３まで移動されて、弾性板４３１が係止段４２１の球形の辺縁に沿って開かれた後、係止段４２１が弾性板４３１に挟まれて固定されるため、ストッパーユニット４０が固定部３１に固定される。
【００２３】
図７及び図８の示すように、本考案に係るトルク調節可能な歯科インプラント用トルクラチェットレンチは、駆動ユニット２０が人体の歯ぐきの人工の歯根（図示省略）に連結されることで、操作部１４が固定される。その後、手持ちユニット１０の手持ち部１５がトグルされ、手持ちユニット１０の可撓性手持ち部１１が、手持ち部１５からのトグルの力量を受けて、当接面１３がストッパーユニット４０に近接されることで、駆動ユニット２０が連動されて回転される。
【００２４】
手持ちユニット１０の操作部１４に隣接された固定ユニット３０の一端には、手持ちユニット１０及び固定ユニット３０を固定するための少なくとも１つのボルト軸３５が設けられている。可撓性手持ち部１１が手持ち部１５からのトグルの力量を受けて湾曲されて、当接面１３がストッパーユニット４０に近接されると、ストッパーユニット４０が複数の位置決め部３１のうち何れか１つの位置決め部３３に固定される。手持ちユニット１０の当接面１３がストッパーユニット４０に当接したときには、手持ちユニット１０のトグルが所定のトルク値に達したことを表す。例えば、ストッパーユニット４０が手持ちユニット１０に近接された位置決め部３３に定位されている場合には、小さいトルク出力に設定されていることを表す（図７参照）。ストッパーユニット４０が手持ちユニット１０から離間された位置決め部３３に定位されている場合には、大きいトルク出力に設定されていることを表す（図８参照）。
【００２５】
本明細書に開示された実施例は、本考案を限定するものではない。本考案の精神及び範囲を逸脱しない限り、いずれの当該技術を熟知する当業者であれば、様々な変更や修飾を加えることは当然可能であり、例えば、前記実施例に示された各技術的内容を組み合わせまたは変更して新しい実施形態にした場合は、これらの実施形態も、もちろん本考案の範囲に所属するものである。本考案の範囲は実用新案登録請求の範囲により解釈すべきであり、それと同等の範囲内にある全ての技術は、実用新案登録請求に含まれるものと解釈すべきである。
【符号の説明】
【００２６】
１０  手持ちユニット
１１  可撓性手持ち部
１１１  第一端面
１１２  第二端面
１２  オープン式測定スペース
１３  当接面
１３１  抵抗部材
１４  操作部
１５  手持ち部
２０  駆動ユニット
３０  固定ユニット
３１  固定部
３２  測定部
３３  位置決め部
３４  位置決めチャンネル
３５  ボルト軸
４０  ストッパーユニット
４１  ストッパー部
４２  固定係合部材
４２１  係止段
４２２  移動段
４２３  押圧段
４３  ボディ部
４３１  弾性板
４３２  係止壁面
４３３  移動空間
４３４  押圧壁面
４３５  押圧空間
４３６  押圧開口
Ａ  移動状態
Ｂ  位置決め状態
【図１】
0003209718.tif 000003
【図２】
0003209718.tif 000004
【図３】
0003209718.tif 000005
【図４】
0003209718.tif 000006
【図５】
0003209718.tif 000007
【図６】
0003209718.tif 000008
【図７】
0003209718.tif 000009
【図８】
0003209718.tif 000010
【手続補正書】
【提出日】平成29年2月7日(2017.2.7)
【手続補正１】
【補正対象書類名】明細書
【補正対象項目名】０００６
【補正方法】変更
【補正の内容】
【０００６】
前述した課題を解決し、前述の目的を達成するために、本考案に係るトルク調節可能な歯科インプラント用トルクラチェットレンチは、可撓性を有する可撓性手持ち部と、該可撓性手持ち部の一側に位置される第一端面と、前記可撓性手持ち部に位置されかつ前記第一端面に対する第二端面と、前記第一端面及び前記第二端面を貫通させるオープン式測定スペースと、前記第一端面に位置される当接面と、前記可撓性手持ち部の一端に位置されかつ前記オープン式測定スペースに連通される操作スペースからなる操作部と、前記可撓性手持ち部の他側に位置される手持ち部と、を有する手持ちユニットと、前記操作スペースに設けられる駆動ユニットと、前記駆動ユニットに連結されかつ前記オープン式測定スペースに設けられる固定部と、前記固定部から前記第一端面側に外向きに延伸される測定部と、前記測定部に設けられかつ前記固定部から前記当接面側に順に配列される複数の位置決め部と、を有する固定ユニットと、前記手持ちユニットの当接面に当接されるストッパー部を有しかつ前記複数の位置決め部のうち何れか１つの位置決め部に選択的に定位されるストッパーユニットとを備えることを特徴とする。
【手続補正２】
【補正対象書類名】実用新案登録請求の範囲
【補正対象項目名】請求項１
【補正方法】変更
【補正の内容】
【請求項１】
可撓性を有する可撓性手持ち部と、該可撓性手持ち部の一側に位置される第一端面と、前記可撓性手持ち部に位置されかつ前記第一端面に対する第二端面と、前記第一端面及び前記第二端面を貫通させるオープン式測定スペースと、前記第一端面に位置される当接面と、前記可撓性手持ち部の一端に位置されかつ前記オープン式測定スペースに連通される操作スペースを含む操作部と、前記可撓性手持ち部の他側に位置される手持ち部と、を有する手持ちユニットと、
前記操作スペースに設けられる駆動ユニットと、
前記駆動ユニットに連結されかつ前記オープン式測定スペースに設けられる固定部と、該固定部から前記第一端面の方向に外向きに延伸される測定部と、該測定部に設けられかつ前記固定部から前記当接面の方向に順に配列される複数の位置決め部と、を有する固定ユニットと、
前記手持ちユニットの前記当接面に当接されるストッパー部を有しかつ前記複数の位置決め部のうち何れか１つの位置決め部に選択的に定位可能なストッパーユニットとを備え、
前記ストッパーユニットが前記何れか１つの位置決め部に選択的に定位されるとともに、前記手持ちユニットの前記可撓性手持ち部のトグルにより前記当接面が前記ストッパー部に当接されることで、前記駆動ユニットが所定のトルク値を達成する、ことを特徴とするトルク調節可能な歯科インプラント用トルクラチェットレンチ。